(57)【要約】【課題】不使用状態において印面を保護する前後一対の保護蓋を有し、使用時には上下反転状に姿勢変更した保護蓋を把手として使用できる携行印において、開閉途中に保護蓋や印判本体がぶらぶらするのを解消する。【解決手段】本体ケース３および印字体４とを含む印判本体１と、印判本体１で開閉自在に軸支される前後一対の保護蓋２・２とを備えている。保護蓋２は門形の周枠３０と、周枠３０の左右壁３１間に形成されるカバー壁３２および接合壁３３を一体に備えている。本体ケース３に周枠３０の左右壁３１を軸支して、保護蓋２・２は、印字体４の印面がカバー壁３２で覆される閉じ姿勢と、本体ケース３の上面側において両保護蓋２・２が背中合わせ状に接合して把手を構成する開放姿勢とに揺動開閉できるようにする。周枠３０の左右壁３１と本体ケース３との間には、保護蓋２の自由開閉を規制する規制体４０を設けてる。【選択図】図１
2005205724.tif 000002
【特許請求の範囲】
【請求項１】
本体ケース３と、本体ケース３に組み付けられる印字体４とを含む印判本体１と、印判本体１で開閉自在に軸支される前後一対の保護蓋２・２とを備えており、
保護蓋２は門形の周枠３０と、周枠３０の左右壁３１の間に形成されるカバー壁３２および接合壁３３を一体に備えていて、印字体４の印面をカバー壁３２で覆う閉じ姿勢と、本体ケース３の上面側において両保護蓋２・２が背中合わせ状に接合して把手を構成する開放姿勢とに揺動開閉できるよう、周枠３０の左右壁３１が本体ケース３で軸支されており、
周枠３０の左右壁３１と本体ケース３との間に、保護蓋２の自由開閉を規制する規制体４０が設けてあることを特徴とする携行印。
【請求項２】
周枠３０の左右壁３１と本体ケース３のいずれか一方に開閉軸３４が設けられ、他方に開閉軸３４を支持する軸受穴２３が形成されており、
規制体４０が、軸受穴２３まわりに設けられて、開閉軸３４に対して摩擦抵抗を与える規制腕からなる請求項１記載の携行印。
【請求項３】
閉じ状態において接合する保護蓋２の接合壁３３に、両保護蓋２・２を閉じた状態に維持するための閉止構造が設けられており、
閉止構造が、一方の接合壁３３に突設した係合突起４４と、他方の接合壁３３に凹み形成した係合凹部４５とで構成されている請求項１または２記載の携行印。
【請求項４】
周枠３０の左右壁３１のそれぞれに、保護蓋２を開放操作するための指掛部３５が凹み形成されている請求項１または２または３記載の携行印。
【請求項５】
本体ケース３が、印字体４およびインク吸蔵マット５を収容する下ケース８と、下ケース８の上面に装着される上ケース９と、上ケース９の上面開口を塞ぐ蓋１０とで構成されており、
蓋１０が、上ケース９で開閉可能に支持されていて、上ケース９の上面開口を塞ぐ閉じ姿勢と、上ケース９に設けたインク補充穴２２を開放する開放姿勢とに開閉できる請求項１ないし４のいずれかに記載の携行印。
【請求項６】
本体ケース３の周面に、印字体４の印字範囲を表示する指標１３・１４が形成されており、
閉止構造を構成する係合突起４４が前印を兼ねている請求項３または４記載の携行印。
【請求項７】
蓋１０が上ケース９で水平回転可能に軸支されて、上ケース９の上面開口を塞ぐ閉じ姿勢と、上ケース９に設けたインク補充穴２２を開放する開放姿勢とに開閉できる請求項５または６記載の携行印。
【請求項８】
本体ケース３の左右側壁の一方に、ストラップＳを固定する装着部１５が形成されている請求項１〜７のいずれかに記載の携行印。
【発明の詳細な説明】
【技術分野】
【０００１】
本発明は、開閉自在な保護蓋を備えていて、閉じた状態の保護蓋で印面を覆い隠してインクの付着を避けることができる携行印に関する。
【背景技術】
【０００２】
この種の携行印は特許文献１に公知である。そこでは、連続捺印が可能な印版本体と、印版本体に対して開閉自在に連結される前後一対の保護蓋とで携行印を構成している。一対の保護蓋を折り畳んで閉じた状態では、印版本体の印面を保護蓋で覆い隠すことができ、各保護蓋を開いて反転揺動すると、印版本体の上面側において両保護蓋が背中合わせ状に隣接して把手を構成する。
【０００３】
【特許文献１】実公昭５６−２３０９５号公報（第１頁第２欄、図１）
【発明の開示】
【発明が解決しようとする課題】
【０００４】
特許文献１の携行印によれば、不使用状態における印面を保護蓋で覆って、携行時にインクが他物に付着するのを防止できる。しかし、保護蓋が印判本体に対して単に揺動開閉自在に連結してあるだけであるため、開放途中状態の保護蓋や印判本体がぐらつきやすく、そのため保護蓋の開閉時に誤って印面に触れて指先を汚すことがある。保護蓋の接合縁の外面に沿って、閉じた状態を維持するための係合片が突設してある。そのため、係合片の側を底にして携行印を載置できず、陳列や収納保存に不便がある。印判本体の上面には、印字内容を表わす表示シートを装着できるが、この表示シートを上にした状態では携行印を載置し起立させることができないのである。保護蓋の内面には複数の補強リブが設けてあり、これらの補強リブは保護蓋を開いて反転揺動した状態において指先の滑り止めを兼ねるようになっている。しかし、指先を怪我しているような場合には、補強リブが患部に当って痛い思いをすることがあるうえ、補強リブの間に塵埃が溜まりやすい。
【０００５】
本発明の目的は、開放途中における保護蓋のぐらつきがなく、したがって保護蓋の開閉時に誤って印面に触れて指先を汚すことのない携行印を提供すること、印判本体に設けた表示シートを上にした状態で携行印を載置し起立保持できる携行印を提供すること、印判本体へのインク補充を簡便に行える携行印を提供すること、印判本体を工具を用いることもなく完全に分解し、異なる材質ごとに分別して廃棄処分できる携行印を提供することにある。
【課題を解決するための手段】
【０００６】
本発明の携行印においては、本体ケース３と、本体ケース３に組み付けられる印字体４とを含む印判本体１と、印判本体１で開閉自在に軸支される前後一対の保護蓋２・２とを備えている。保護蓋２は、門形の周枠３０と、周枠３０の左右壁３１の間に形成されるカバー壁３２および接合壁３３を一体に備えていて、印字体４の印面をカバー壁３２で覆う閉じ姿勢と、本体ケース３の上面側において両保護蓋２・２が背中合わせ状に接合して把手を構成する開放姿勢とに揺動開閉できるよう、周枠３０の左右壁３１が本体ケース３で軸支されている。そして、周枠３０の左右壁３１と本体ケース３との間に、保護蓋２の自由開閉を規制する規制体４０が設けられていることを特徴とする（請求項１）。
【０００７】
周枠３０の左右壁３１と本体ケース３のいずれか一方には開閉軸３４を設け、他方には開閉軸３４を支持する軸受穴２３を形成する。規制体４０は、軸受穴２３まわりに設けられて、開閉軸３４に対して摩擦抵抗を与える規制腕からなる（請求項２）。
【０００８】
閉じ状態において接合する保護蓋２の接合壁３３には、両保護蓋２・２を閉じた状態に維持するための閉止構造を設け、この閉止構造は、一方の接合壁３３に突設した係合突起４４と、他方の接合壁３３に凹み形成した係合凹部４５とで構成する（請求項３）。
【０００９】
周枠３０の左右壁３１のそれぞれには、保護蓋２を開放操作するための指掛部３５を凹み形成することができる（請求項４）。
【００１０】
本体ケース３は、印字体４およびインク吸蔵マット５を収容する下ケース８と、下ケース８の上面に装着される上ケース９と、上ケース９の上面開口を塞ぐ蓋１０とで構成し、蓋１０は、上ケース９で開閉可能に支持して、上ケース９の上面開口を塞ぐ閉じ姿勢と、上ケース９に設けたインク補充穴２２を開放する開放姿勢とに開閉できるようにすることができる（請求項５）。
【００１１】
本体ケース３の周面には、印字体４の印字範囲を表示する指標１３・１４を形成し、閉止構造を構成する係合突起４４を利用して前印とすることができる（請求項６）。
【００１２】
蓋１０は、上ケース９で水平回転可能に軸支して、上ケース９の上面開口を塞ぐ閉じ姿勢と、上ケース９に設けたインク補充穴２２を開放する開放姿勢とに開閉できるようにする（請求項７）。
【００１３】
本体ケース３の左右側壁の一方には、ストラップＳを固定する装着部１５が形成されたものとすることができる（請求項８）。
【発明の効果】
【００１４】
本発明では、門形の周枠３０と、周枠３０の左右壁３１の間に形成されるカバー壁３２および接合壁３３などで保護蓋２を構成して、周枠３０の左右壁３１を本体ケース３で軸支することにより、保護蓋２・２を、印字体４の印面をカバー壁３２で覆う閉じ姿勢と、本体ケース３の上面側において両保護蓋２・２が背中合わせ状に接合して把手を構成する開放姿勢とに揺動開閉できるようにした。そのうえで、周枠３０の左右壁３１と本体ケース３との間に規制体４０を設けて、保護蓋２が自由開閉するのを規制できるようにした。
【００１５】
かかる本発明の携行印によれば、保護蓋２・２のぐらつきを規制体４０で確実に防止して、開放途中や、全開放した状態における保護蓋２や印判本体１がぶらぶらするのを解消できるので、保護蓋２・２の開閉時に誤って印面に触れて指先を汚すことがない。使用者の明確な意図がない限りは保護蓋２を反転操作できないので、例えば、携行時に外力を受けた保護蓋２が半開姿勢や、全開放姿勢になることもなく、安心して携行できる（請求項１）。
【００１６】
周枠３０の左右壁３１および本体ケース３に、開閉軸３４と軸受穴２３を形成し、規制体４０が、軸受穴２３まわりに設けられて、開閉軸３４に対して摩擦抵抗を与える規制腕で構成した携行印によれば、より簡単な構造で保護蓋２を回転規制できるので、規制体４０を備えた携行印をより低コストで構成できる（請求項２）。
【００１７】
閉じ状態において前後に接合する保護蓋２の接合壁３３に、係合突起４４と係合凹部４５とからなる閉止構造を設け、これら両者４４・４５が係合することによって、両保護蓋２・２の閉じ状態を維持できるようにすると、不使用時や携行時における印面を保護蓋２・２で覆い隠して保護できる。また、周枠３０の端壁を底にした状態で携行印を載置して起立保持できるので、複数個の携行印を整然と整列した状態で陳列し、あるいは収納保存できる利点もある（請求項３）。
【００１８】
周枠３０の左右壁３１に、それぞれ保護蓋２を開放操作するための指掛部３５が凹み形成された携行印によれば、左右の指掛部３５をつまんだ状態で保護蓋２・２を開放するよう、使用者の注意を喚起できるので、保護蓋２・２の開閉時に誤って印面に触れる可能性をさらに小さくし、指先の汚れをさらに確実に防止できる（請求項４）。
【００１９】
印字体４およびインク吸蔵マット５を収容する下ケース８と、その上面に装着される上ケース９と、上ケース９の上面開口を塞ぐ蓋１０とで本体ケース３を構成し、蓋１０を上ケース９で開閉可能に支持した携行印によれば、必要に応じて蓋１０を開放するだけで、開放されたインク補充穴２２を介して、インク吸蔵マット５に対するインク補給を簡便に行える。下ケース８、上ケース９と、および蓋１０の３者で本体ケース３が構成されているので、携行印を廃棄する場合には、携行印の構成部品を分離して、異なる材質ごとに分別した状態で廃棄処分できる（請求項５）。
【００２０】
閉止構造を構成する係合突起４４を利用して前印にすると、捺印時に前後を間違えることがないし、係合突起４４をそのまま前印として利用分だけ構造を簡素化できる。本体ケース３の周面に、印字体４の印字範囲を表示する指標１３・１４が形成してあると、指標１３・１４によって携行印の印字位置を大まかに特定でき、狭い紙面スペースに捺印するような場合でもより適正に印字できる（請求項６）。
【００２１】
蓋１０を上ケース９で水平回転可能に軸支して、塞ぐ閉じ姿勢と開放姿勢とに開閉できるようにした携行印によれば、保護蓋２・２を本体ケース３に装着した状態のままでインク補充穴２２を開放し、あるいは上ケース９の開口を塞ぐことができるので、例えば、蓋１０が上ケース９の開口面に嵌め込み装着してある場合などに比べて、インクの補給がより少ない手間で簡便に行える。蓋支軸２７まわりに捻り操作することで蓋１０を開閉できるので、蓋開閉に要する手間も少なくて済む（請求項７）。
【００２２】
本体ケース３の左右側壁の一方に装着部１５を設け、この装着部１５にストラップＳやキーホルダーを固定できるようにした携行印によれば、携行印の取り扱い性が向上し、例えば携行印が他の収納物と混在する状態でバッグに収納してある場合にも、その取り出しが容易に行える（請求項８）。
【発明を実施するための最良の形態】
【００２３】
図１ないし図９は本発明に係る携行印の実施例を示す。図２および図３において携行印は、印判本体１と、印判本体１で開閉自在に軸支される前後一対の保護蓋２とを備えている。印判本体１はインク補充が可能な浸透印としてあり、本体ケース３と、本体ケース３に組み付けられる左右横長の印字体４とを含む。
【００２４】
図３において本体ケース３は、印字体４およびインク吸蔵マット５を収容する下ケース８と、下ケース８の上面に装着される上ケース９と、上ケース９の上面開口を塞ぐ蓋１０とからなる。下ケース８は上下面が開口する左右横長の角枠体からなり、その前後壁の外面下半分に段落面１１が形成され、上開口に臨む前後壁の内面に、上ケース９を装着するためのレール溝１２が形成してある。図２に示すように段落面１１の両側端寄りと、下ケース８の左右側壁の外面には、それぞれ印字体４の印字範囲を表示するための指標１３、１４が形成されている。前者指標１３は縦長のリブで、後者指標１４は段差によって形成する。下ケース８の一方の側壁には、ストラップＳ固定するためのリング（装着部）１５が横向きＵ字状に突設されている。段落面１１を設ける理由は後述する。
【００２５】
上ケース９は、前後縁に係合レール１８が形成された底壁１９と、底壁１９の両端に突設した一対の側壁２０とを一体に備えている。底壁１９の上面中央には、蓋１０を軸支する軸受２１が突設されており、軸受２１の左右両側に長円状のインク補充穴２２が突設されている。各側壁２０の前後には、保護蓋２を揺動開閉可能に軸支するための軸受穴２３を形成するが、その詳細は後述する。
【００２６】
前後の係合レール１８を下ケース８のレール溝１２の一端から他端へ向かって差し込み係合することにより、上ケース９を下ケース８に密着係合する状態で一体化して、下ケース８に装填した印字体４およびインク吸蔵マット５を押さえ保持できる。図示省略したが、レール溝１２と係合レール１８との間には、互いに係合して上ケース９の組み付け状態を維持する突起と凹部とを形成してある。
【００２７】
蓋１０は、左右横長の上壁２５と、上壁２５の周縁を囲む周壁２６とを一体に備えており、上壁２５の内面中央に先の軸受２１で軸支される蓋支軸２７を突設してある。上壁２５の上面には浅い凹みを形成してあり、この凹みに印字体４の印字内容を表示するためのラベルＲを貼り付けることができる。蓋支軸２７を軸受２１に組み付けることにより、蓋１０は上ケース９の上面開口を塞ぐ閉じ姿勢と、図５に示すように、閉じ姿勢から９０度回転してインク補充穴２２を開放する開放姿勢とに開閉できる。この開閉回転を許す必要上、蓋１０の右側縁の前部と左側縁の後部とは部分円弧状に丸め、同様に上ケース９の両側壁２０の対向縁を部分円弧状に丸めてある。符号２８は滑止用のリブである。蓋１０の側端面に設けた凹部２９と、上ケースの側壁２０の内面に突設した突起２４とを係合することにより、蓋１０を閉じ姿勢に固定できる。
【００２８】
図３および図６において保護蓋２は、門形の周枠３０と、周枠３０の左右壁３１の間に形成される断面逆Ｌ字状のカバー壁３２と、接合壁３３とを一体に備えている。前後の保護蓋２を開閉するときの相互干渉を避けるために、左右壁３１の遊端は半円状に丸めてあり、その内面に開閉軸３４が突設されている。図３において左右壁３１の外面の下端寄りには、保護蓋２を開放操作するための指掛部３５を凹み形成してあり、その上側に隣接してリング１５用の逃げ凹部３６が切り欠き形成されている。
【００２９】
開閉軸３４を上ケース９に設けた軸受穴２３で支持することにより、前後の保護蓋２は本体ケース３に対して揺動開閉可能に支持され、印字体４の印面をカバー壁３２で覆う図６および図７の閉じ姿勢と、本体ケース３の上面側において両保護蓋２・２が背中合わせ状に接合して把手を構成する図２および図９の開放姿勢とにわたって揺動開閉できる。各保護蓋２・２と印判本体１とが抵抗なく相対回転できるように連結されていると、開放途中状態の保護蓋２や印判本体１がぐらつき、誤って印面に触れて指先を汚すことがある。こうした、不具合を解消するために、周枠３０の左右壁３１と上ケース９との間には、保護蓋２・２の自由開閉を規制する規制腕（規制体）４０が設けられている。
【００３０】
規制腕４０は、基本的に保護蓋２に摩擦抵抗を与えて保護蓋２と印判本体１との相対的な自由揺動を規制するが、好ましくは、規制腕４０の摩擦抵抗に基づく回転阻止力が、印判本体１の重量に基づく揺動モーメントより大きくなるように設定して、片方の保護蓋２のみを支持した状態においても、他方の保護蓋２や印判本体１がぶらぶらするのを規制できるようにする。
【００３１】
具体的には、図１に示すように、軸受穴２３の周囲に部分円弧状に湾曲する弾性変形可能な規制腕４０を設け、その内面に設けた平坦な押圧面４２を開閉軸３４に押し付けて、保護蓋２と印判本体１との相対揺動を規制する。規制腕４０が自由状態にあるときの押圧面４２と軸受穴２３との対向間隔は、開閉軸３４の直径寸法より小さく設定してある。したがって、開閉軸３４を軸受穴２３に係合連結すると、規制腕４０が拡開状に弾性変形して、開閉軸３４に対して摩擦抵抗を与える。規制腕４０の遊端内面には、後述する節動突起４４を受け止めるストッパー爪４１が設けてある。
【００３２】
これらの規制構造を利用してクリック機構を構成し、保護蓋２の開閉時にクリック感を与えている。詳しくは、丸軸で形成した開閉軸３４の周囲一個所に半球状の節動突起４３を設け、この節動突起４３が押圧面４２を通過する前後のそれぞれにおいて、クリック感を発揮できるようにした。図１において節動突起４３がストッパー爪４１で受け止められた状態では、保護蓋２は開放姿勢になっており、節動突起４３が軸受穴２３側の段部に接している状態では、保護蓋２は閉じ姿勢になっている。このように、規制腕４０に加えてクリック機構を設けると、保護蓋２および印判本体１の相対的な自由揺動をさらに確実に規制できる。
【００３３】
閉じ姿勢にした前後の保護蓋２を開放不能に係合保持するために、背中合わせ状に接合する前後の接合壁３３・３３に閉止構造を設ける。図６において閉止構造は、前面側の接合壁３３に突設した係合突起４４と、後面側の接合壁３３に凹み形成した係合凹部４５と、各接合壁３３・３３の両側に設けた上下一対の規制爪４６・４７（図４参照）とで構成する。係合突起４４の外面には、すべり止め用の凹み４８を形成してある。閉じ姿勢にした保護蓋２のカバー壁３２の前後壁と、下ケース８の前後壁とを面一状にするために下ケース８に段落面１１を設けてある。
【００３４】
上記のように、接合壁３３・３３の接合面に保護蓋２用の閉止構造が設けられていると、周枠３０の端壁を平坦にできるので、図７に示すように平坦壁を底にして携行印を載置して起立保持でき、陳列や収納保存に便利である。規制爪４６・４７は、係合突起４４および係合凹部４５と協同して、前後の保護蓋２・２が上下方向へ相対移動するのを規制して、閉じ姿勢における保護蓋２をぐらつきなく固定保持するために設けてある。
【００３５】
携行印を使用するときは、図８に示すように、左右の指掛部３５を両手でつまんで、左右の保護蓋２・２を同時に開放操作して、図９に示すように保護蓋２・２の接合壁どうしを背中合わせに接合して把手を構成する。このように、開放操作した両保護蓋２・２で把手を構成した状態では、保護蓋２・２の前後面に接合壁３３・３３が露出する。したがって、使用者は図９に示すように面状の接合壁３３・３３に指先をあてがって押印操作でき、指先を怪我しているような場合でも、患部が強い刺激を受けることはない。係合突起４４は携行印の前印を兼ねており、係合突起４４を目印にして携行印の前後姿勢を決め、さらに指標１３・１４によって印字領域を位置決めすることにより、携行印による捺印を適正に行える。
【００３６】
携帯印は、前後の保護蓋２・２の開閉軸３４を本体ケースから抜き外して分離できる。蓋１０は、図５に示すように開放操作することにより、その蓋支軸２７を軸受２１から分離して上ケース９から分離できる。さらに、上ケース９を開放スライドすることにより、上下ケース８・９を分離して、印字体４およびインク吸蔵マット５を取り出すことができる。したがって、上記の携行印によれば、工具を用いることもなく印判本体１および保護蓋２を完全に分解し、異なる材質ごとに分別して廃棄処分できることになる。
【００３７】
上記の実施例では、規制腕４０を開閉軸３４に圧設して保護蓋２を回転規制したが、例えば図１０に示すように、板ばねを素材にして上下に長い門形枠５１を形成し、その中途部内面にＶ字状の押圧面４２を対向する状態で設けて、これら一対の押圧面４２で開閉軸を弾性的に軸支してもよい。門形枠５１は本体ケース３に嵌め込み固定する。このように、規制体４０は独立した部品で形成することができる。図１１に示す実施例では、厚み方向へ弾性変形できる波形座金を規制体４０として利用し、これを保護蓋２の左右壁３１と本体ケース３の左右側壁との間に介装した。このように、規制体４０は相対回転する隣接壁面の間に配置することができる。波形座金に代えてゴム製の規制体４０を適用してもよい。
【００３８】
携行印の印字体４は浸透印である必要はなく、インクを含浸できない通常のゴム印であってもよい。開閉軸３４は本体ケース３の側に設けることができる。蓋１０は、インク補充穴２２と対向する個所のみが開閉できればよく、必ずしも蓋全体を開閉する必要はない。蓋１０は、前後方向へスライドして開閉する構造であってもよい。携行印の印字内容としては、企業名、氏名、住所、電話番号、メールアドレスあるいは「見積書在中」、「御祝」、「御佛前」などの定形句がある。
【図面の簡単な説明】
【００３９】
【図１】保護蓋の回転規制構造を示す縦断側面図である。
【図２】携行印を印面側から見上げた斜視図である。
【図３】携行印の分解斜視図である。
【図４】不使用状態における携行印の縦断正面図である。
【図５】蓋を開放した状態の一部破断平面図である。
【図６】不使用状態における携行印の縦断側面図である。
【図７】不使用状態における携行印の斜視図である。
【図８】保護蓋の開放要領を示す斜視図である。
【図９】使用状態における携行印の斜視図である。
【図１０】回転規制構造の別の実施例を示す斜視図である。
【図１１】回転規制構造のさらに別の実施例を示す斜視図である。
【符号の説明】
【００４０】
１  印判本体
２  保護蓋
３  本体ケース
４  印字体
５  インク吸蔵マット
８  下ケース
９  上ケース
１０  蓋
２２  インク補充穴
２３  軸受穴
３０  周枠
３１  左右壁
３２  カバー壁
３３  接合壁
３４  開閉軸
３５  指掛部
４０  規制体
４４  係合突起
４５  係合凹部
【図１】
2005205724.tif 000003
【図２】
2005205724.tif 000004
【図３】
2005205724.tif 000005
【図４】
2005205724.tif 000006
【図５】
2005205724.tif 000007
【図６】
2005205724.tif 000008
【図７】
2005205724.tif 000009
【図８】
2005205724.tif 000010
【図９】
2005205724.tif 000011
【図１０】
2005205724.tif 000012
【図１１】
2005205724.tif 000013